(57)【要約】【課題】無線通信ネットワークの圏内から圏外に移動したときでもＧＰＳ機能を発揮し得る移動通信端末を提供する。【解決手段】移動通信端末１では、ＧＰＳ受信部１６，１７は、内蔵ＧＰＳアンテナ１１Ｇを介して衛星電波を受信し、この衛星電波に基づいてＧＰＳ信号を生成する。接続検出部１８は、外付けＧＰＳアンテナ２がコネクタ１５に接続された状態を検出する。このとき、ＧＰＳ処理部１４Ａは、スタンドアロン測位モードの状態をオフからオンに切り替え、このスタンドアロン測位モードに従ってＧＰＳ信号を捕捉し、当該捕捉結果に基づいて測位演算を実行し得る。【選択図】図１
2009198275.tif 000002
【特許請求の範囲】
【請求項１】
ＧＰＳ用アシストデータを供給する基地局と無線通信ネットワークを介して接続された移動通信端末であって、
内蔵ＧＰＳアンテナと、
前記内蔵ＧＰＳアンテナを介して複数の人工衛星から衛星電波を受信し、当該受信された衛星電波に基づいて第１のＧＰＳ信号を生成するＧＰＳ受信部と、
通常測位モードに従って前記第１のＧＰＳ信号を捕捉するとともに前記ＧＰＳ用アシストデータを用いて測位結果を取得するＧＰＳ処理部と、
前記ＧＰＳ処理部による捕捉結果を前記基地局に送信するとともに前記基地局から返信された前記ＧＰＳ用アシストデータを受信する通信処理部と、
外付けＧＰＳアンテナと着脱自在に接続されるコネクタと、
前記外付けＧＰＳアンテナが前記コネクタに接続された状態を検出する接続検出部と、
前記接続検出部により前記外付けＧＰＳアンテナが接続された状態が検出されたときに、前記内蔵ＧＰＳアンテナと前記ＧＰＳ受信部との間を電気的に切断するとともに前記外付けＧＰＳアンテナを前記ＧＰＳ受信部と電気的に接続するスイッチと、
を備え、
前記ＧＰＳ受信部は、前記コネクタに接続された外付けＧＰＳアンテナを介して複数の人工衛星から衛星電波を受信し、当該受信された衛星電波に基づいて第２のＧＰＳ信号を生成し、
前記ＧＰＳ処理部は、前記接続検出部により前記外付けＧＰＳアンテナが接続された状態が検出されたときに、スタンドアロン測位モードの状態をオフからオンに切り替えるとともに、当該移動通信端末が前記無線通信ネットワークの圏外にいるときは、このスタンドアロン測位モードに従って前記第２のＧＰＳ信号を捕捉し、当該捕捉結果に基づいて測位演算を実行する、移動通信端末。
【請求項２】
請求項１記載の移動通信端末であって、前記ＧＰＳ処理部は、前記接続検出部により前記外付けＧＰＳアンテナが接続された状態が検出され、かつ、当該移動通信端末が前記無線通信ネットワークの圏内にいるときは、前記通常測位モードを前記スタンドアロン測位モードよりも優先させる、移動通信端末。
【請求項３】
請求項１または２記載の移動通信端末であって、前記接続検出部は、前記コネクタの接続検出用端子の電圧レベルを監視し、当該電圧レベルが閾値レベルに達したときに前記外付けＧＰＳアンテナが前記コネクタに接続された状態を検出する、移動通信端末。
【請求項４】
請求項３記載の移動通信端末であって、
前記接続検出部は、
電源電圧が印加された非反転入力端子と閾値電圧が印加された反転入力端子とを有する演算増幅器と、
前記演算増幅器の出力レベルに応じて制御信号を生成するスイッチ制御素子と、
を含み、
前記スイッチは、前記制御信号に応じてスイッチング動作を行う、移動通信端末。
【請求項５】
請求項４記載の移動通信端末であって、前記スイッチ制御素子は、前記制御信号として光信号を生成する発光ダイオードである、移動通信端末。
【請求項６】
請求項１から５のうちのいずれか１項に記載の移動通信端末であって、前記無線通信ネットワークは移動体通信網である、移動通信端末。
【発明の詳細な説明】
【技術分野】
【０００１】
本発明は、ＧＰＳ（全地球測位システム：Global Positioning System）機能を有する移動通信端末に関する。
【背景技術】
【０００２】
近年、ＧＰＳ受信機の小型軽量化、低コスト化および低消費電力化により、携帯電話機やＰＤＡ（Personal Data Assistance：個人情報端末）などの移動通信端末にＧＰＳ機能が実装される傾向にある。ＧＰＳ受信機は、地球を周回する複数の人工衛星からＧＰＳ信号を受信し、当該受信されたＧＰＳ信号を捕捉し追尾しつつ、当該受信されたＧＰＳ信号から航法メッセージデータ（衛星軌道情報、衛星時計情報など）を取得し、この航法データに基づいて測位演算を行う。
【０００３】
しかしながら、携帯電話機などの移動通信端末が、単体で、高速な測位演算を行うことが難しいという現実がある。これは、移動通信端末に内蔵された小型のＧＰＳアンテナを使用するだけでは、ＧＰＳ信号の十分に高い受信感度を得ることが難しい場所が多々あるためである。そこで、移動通信端末が通信ネットワーク上の基地局すなわちアシストサーバ（assistance server）から供給されたデータを使用して現在位置を把握するというＡ−ＧＰＳ（Assisted GPS）技術が採用されている。このＡ−ＧＰＳ技術では、移動通信端末は、ＧＰＳ信号の捕捉を行い、この捕捉結果をアシストサーバに送信する。アシストサーバは、移動通信端末から受信した捕捉結果に基づいて航法メッセージデータを移動通信端末に送信する。そして、移動通信端末は、アシストサーバから受信した航法メッセージデータに基づいて測位演算を実行する（端末側測位モード：UE-based mode）。あるいは、アシストサーバは、移動通信端末から受信した捕捉結果に基づいて当該移動通信端末の現在位置について測位演算を実行し、その演算結果を当該移動通信端末に送信する（端末支援測位モード：UE-assisted mode）。このようなＡ−ＧＰＳ技術は、たとえば、特許文献１（特表２００７−５１８０６４号公報）および特許文献２（米国特許出願公開第２００６／０２７６１６７号明細書）に開示されている。
【０００４】
外付けアンテナを移動通信端末に着脱自在に接続できれば、ＧＰＳ信号の受信感度を向上させて測位時間の短縮化が可能となる。この種の外付けアンテナに関する従来技術は、たとえば、特許文献３（特開平０９−２２９７１１号公報）および特許文献４（特開２００１−３５６１５９号公報）に開示されている。
【特許文献１】特表２００７−５１８０６４号公報
【特許文献２】米国特許出願公開第２００６／０２７６１６７号明細書
【特許文献３】特開平０９−２２９７１１号公報
【特許文献４】特開２００１−３５６１５９号公報
【発明の開示】
【発明が解決しようとする課題】
【０００５】
上述の通り、移動通信端末が単体で航法メッセージデータを取得し、この航法メッセージデータに基づいて測位演算を行うモードは、スタンドアロン（またはスタンドアロン測位モード）と呼ばれる。たとえば、Ａ−ＧＰＳでは、約５秒の測位時間で済むのに対し、スタンドアロンでは、約４０秒もの測位時間がかかる場合がある。また、屋内などの、電波受信環境が少しでも悪い場所では、スタンドアロンを使用することが難しい。かかる事情から、携帯電話機には、通常、スタンドアロン機能は実装されていない。
【０００６】
近年、移動通信端末に搭載されるＣＰＵやＤＳＰなどのプロセッサの動作周波数は高くなり、また、ハードウェア構成が大規模化する傾向にある。この結果、移動通信端末のハードウェアがノイズ発生源となり、内蔵ＧＰＳアンテナで受信されたＧＰＳ信号のＳＮＲ（信号対雑音比）を劣化させるという問題がある。本発明者は、移動通信端末に搭載される液晶表示装置（ＬＣＤ）が発するノイズによりＧＰＳ信号のＳＮＲが約２ｄＢ劣化し得、ＣＰＵが発するノイズによりＧＰＳ信号のＳＮＲが約５ｄＢ劣化し得ることを確認した。このようなＳＮＲの劣化は、ＧＰＳの測位精度、測位時間あるいは測位率といったＧＰＳ性能に悪影響を及ぼす。
【０００７】
このような状況でもＧＰＳ性能を改善するために、特許文献２や特許文献３に開示されている外付けアンテナを使用することができる。しかしながら、移動通信端末が通信ネットワークの圏内から圏外に移動したときに、移動通信端末はアシストデータを受信できないため、Ａ−ＧＰＳ機能を使用することができない。
【０００８】
本発明は、上記に鑑みてなされたものであり、無線通信ネットワークの圏内から圏外に移動したときでもＧＰＳ性能を発揮し得る移動通信端末を提供するものである。
【課題を解決するための手段】
【０００９】
本発明によれば、ＧＰＳ用アシストデータを供給する基地局と無線通信ネットワークを介して接続された移動通信端末が提供される。この移動通信端末は、内蔵ＧＰＳアンテナと、前記内蔵ＧＰＳアンテナを介して複数の人工衛星から衛星電波を受信し、当該受信された衛星電波に基づいて第１のＧＰＳ信号を生成するＧＰＳ受信部と、通常測位モードに従って前記第１のＧＰＳ信号を捕捉するとともに前記ＧＰＳ用アシストデータを用いて測位結果を取得するＧＰＳ処理部と、前記ＧＰＳ処理部による捕捉結果を前記基地局に送信するとともに前記基地局から返信された前記ＧＰＳ用アシストデータを受信する通信処理部と、外付けＧＰＳアンテナと着脱自在に接続されるコネクタと、前記外付けＧＰＳアンテナが前記コネクタに接続された状態を検出する接続検出部と、前記接続検出部により前記外付けＧＰＳアンテナが接続された状態が検出されたときに、前記内蔵ＧＰＳアンテナと前記ＧＰＳ受信部との間を電気的に切断するとともに前記外付けＧＰＳアンテナを前記ＧＰＳ受信部と電気的に接続するスイッチと、を備えており、前記ＧＰＳ受信部は、前記コネクタに接続された外付けＧＰＳアンテナを介して複数の人工衛星から衛星電波を受信し、当該受信された衛星電波に基づいて第２のＧＰＳ信号を生成し、前記ＧＰＳ処理部は、前記接続検出部により前記外付けＧＰＳアンテナが接続された状態が検出されたときに、スタンドアロン測位モードの状態をオフからオンに切り替えるとともに、当該移動通信端末が前記無線通信ネットワークの圏外にいるときは、このスタンドアロン測位モードに従って前記第２のＧＰＳ信号を捕捉し、当該捕捉結果に基づいて測位演算を実行する。
【発明の効果】
【００１０】
上記の通り、本発明による移動通信端末では、接続検出部が外付けＧＰＳアンテナの接続状態を検出すると、この検出結果に応じて、ＧＰＳ処理部は、スタンドアロン測位モードの状態をオフからオンに切り替え、このスタンドアロン測位モードに従ってＧＰＳ信号を捕捉し、当該捕捉結果に基づいて測位演算を実行する。したがって、ユーザは、外付けＧＰＳアンテナをコネクタに接続するだけで、移動通信端末が無線通信ネットワークの圏内から圏外に移動したときでも、移動通信端末にＧＰＳ測位を実行させることが可能である。
【発明を実施するための最良の形態】
【００１１】
以下、本発明に係る種々の実施の形態について、図面を参照しつつ説明する。なお、すべての図面において、同一符号が付された構成要素は同一構成を有し、その詳細な説明は重複しないように適宜省略される。
【００１２】
図１は、本発明に係る一実施例の移動通信端末（ＧＰＳ受信装置）１の概略構成を示す機能ブロック図である。この移動通信端末１は、通信アンテナ１１Ａ、第１ＲＦ回路１２、ベースバンド・プロセッサであるＣＣＰＵ部（通信ＣＰＵ部）１３、およびアプリケーション・プロセッサであるＡＣＰＵ部（アプリケーションＣＰＵ部）１４を有している。メモリ回路２０は、制御情報が書き込まれる記憶領域を有し、ＣＣＰＵ部１３は、その制御情報のメモリ回路２０への書き込み、並びにメモリ回路２０からの制御情報の読み出しを行う。メモリ回路２１も、制御情報が書き込まれる記憶領域を有し、ＡＣＰＵ部１４は、その制御情報のメモリ回路２１への書き込み、並びにメモリ回路２１からの制御情報の読み出しを行う。
【００１３】
ＣＣＰＵ部１３とＡＣＰＵ部１４の各々のハードウェア構成は、汎用的な構成であればよく、たとえば、ＣＰＵ（Central Processing Unit）、主メモリ、キャッシュメモリ、バス回路、入出力インターフェースおよびタイマ回路を有するものであればよい。ＣＣＰＵ部１３は、主に通信制御機能を有し、この通信制御機能は、高いリアルタイム性に対応したＯＳ（オペレーティングシステム）または通信制御プログラムを用いて実現され得る。
【００１４】
第１ＲＦ回路１２およびＣＣＰＵ部１３により通信処理部が構成されており、この通信処理部は、通信アンテナ１１Ａを用いて、無線通信ネットワーク（移動体通信網）上の基地局すなわちアシストサーバ（図示せず）との間でデータの送受信を行う機能を有する。具体的には、通信処理部がデータを受信するとき、第１ＲＦ回路１２は、基地局から到来した無線信号を通信アンテナ１１Ａを介して受信し、当該受信信号を増幅し、当該増幅信号に周波数変換を施してＩＦ（中間周波数）信号を生成する。第１ＲＦ回路１２は、さらに、ＩＦ信号をデジタル受信信号にＡ／Ｄ変換し、このデジタル受信信号をＣＣＰＵ部１３に与える。一方、通信処理部が基地局にデータを送信するとき、第１ＲＦ回路１２は、デジタル信号をアナログ信号にＤ／Ａ変換し、このアナログ信号を高周波信号に変換する。第１ＲＦ回路１２は、通信アンテナ１１Ａを用いて高周波信号を無線通信ネットワークに送出する。
【００１５】
移動通信端末１は、さらに、内蔵ＧＰＳアンテナ１１Ｇ、スイッチ１９、第２ＲＦ回路１６およびＧＰＳモジュール１７を有している。第２ＲＦ回路１６およびＧＰＳモジュール１７によりＧＰＳ受信部が構成されており、このＧＰＳ受信部は、内蔵ＧＰＳアンテナ１１Ｇを介して複数の人工衛星から衛星電波を受信し、当該受信された衛星電波に基づいてＧＰＳ信号（第１のＧＰＳ信号）を生成する機能を有する。具体的には、第２ＲＦ回路１６は、内蔵ＧＰＳアンテナ１１Ｇを介して衛星電波の無線信号を受信し、当該受信信号を増幅し、当該増幅信号をＩＦ信号に周波数変換する。第２ＲＦ回路１６は、さらに、ＩＦ信号をデジタル受信信号に変換し、このデジタル受信信号をＧＰＳモジュール１７に与える。ＧＰＳモジュール１７は、このデジタル受信信号を復調してＧＰＳ信号を生成する。そして、このＧＰＳ信号はＡＣＰＵ部１４に転送される。
【００１６】
ＡＣＰＵ部１４は、ＧＰＳ処理部（ＧＰＳエンジン）１４Ａを有する。このＧＰＳ処理部１４Ａは、不揮発性メモリなどの記録媒体から読み出されたアプリケーション・プログラムを実行することにより実現される。図２に模式的に示されるように、ＧＰＳ処理部１４Ａは、Ａ−ＧＰＳ測位モード（通常測位モード）１４１とスタンドアロン測位モード１４２という２つの動作モードを有している。
【００１７】
Ａ−ＧＰＳ測位モード１４１は、無線通信ネットワーク上のアシストサーバを用いて測位結果を得る通常の動作モードである。このＡ−ＧＰＳ測位モード１４１は、常時、オン状態にある。移動通信端末１は、無線通信ネットワークの圏内にあるときは、このＡ−ＧＰＳ測位モードに従って、アシストサーバから受信した航法メッセージデータに基づいて測位演算を実行するか（端末側測位モード：UE-based mode）、あるいは、測位演算の実行結果をアシストサーバから受信する（端末支援測位モード：UE-assisted mode）。
【００１８】
Ａ−ＧＰＳ測位モード１４１では、ＧＰＳ処理部１４Ａは、ＧＰＳモジュール１７から転送されたＧＰＳ信号を捕捉かつ追跡し、その捕捉結果をＣＣＰＵ部１３に転送する。ＣＣＰＵ部１３は、第１ＲＦ回路１２を制御して当該捕捉結果を基地局に送信させる。アシストサーバである基地局は、当該捕捉結果に基づいてＧＰＳ用アシストデータを生成し、このアシストデータを移動通信端末１に返信する。なお、ＧＰＳ処理部１４Ａが端末側測位モード（UE-based mode）で動作するときは、基地局は、測位演算を実行せずに航法メッセージデータをアシストデータとして送信する。一方、ＧＰＳ処理部１４Ａが端末支援測位モード（UE-assisted mode）で動作するときは、基地局は、移動通信端末１の現在位置について測位演算を実行し、その演算結果をアシストデータとして送信する。ＧＰＳ処理部１４Ａは、第１ＲＦ回路１２およびＣＣＰＵ部１３で受信されたアシストデータを用いて測位結果を取得することとなる。
【００１９】
他方、スタンドアロン測位モード１４２は、外付けＧＰＳアンテナ２のコネクタ２Ｃがコネクタ１５に物理的に接続されたときに自動的にオフ状態からオン状態に切り替えられる。コネクタ２Ｃは、移動通信端末１のコネクタ１５に着脱自在に接続される。ここで、コネクタ１５は、Ｉ／Ｏコネクタ、イヤホンプラグあるいは専用コネクタとして構成されればよい。
【００２０】
外付けＧＰＳアンテナ２のコネクタ２Ｃが移動通信端末１のコネクタ１５に接続されると、コネクタ１５の接続検出用端子に接続された接続導線１５Ｖの電圧レベルが変化する。接続検出部１８は、この電圧レベルが変化して閾値レベルに達したときに外付けＧＰＳアンテナ２がコネクタ１５に接続された状態を検出し、その状態を表す検出信号Ｄｓを生成する。この検出信号ＤｓはＡＣＰＵ部１４に供給される。同時に、接続検出部１８は、切替制御信号Ｓｃをスイッチ１９に供給する。この切替制御信号Ｓｃの供給に応じて、スイッチ１９は、内蔵ＧＰＳアンテナ１１Ｇと第２ＲＦ回路１６との間を電気的に切断する。結果として、外付けＧＰＳアンテナ２のみがコネクタ１５を介して第２ＲＦ回路１６と電気的に接続される。
【００２１】
このとき、第２ＲＦ回路１６は、外付けＧＰＳアンテナ２を介して衛星電波の無線信号を受信し、当該受信信号を増幅し、当該増幅信号をＩＦ信号に周波数変換する。第２ＲＦ回路１６は、さらに、ＩＦ信号をデジタル受信信号に変換し、このデジタル受信信号をＧＰＳモジュール１７に与える。ＧＰＳモジュール１７は、このデジタル受信信号を復調してＧＰＳ信号（第２のＧＰＳ信号）を生成する。そして、このＧＰＳ信号はＡＣＰＵ部１４に転送される。
【００２２】
一方、ＧＰＳ処理部１４Ａは、接続検出部１８により供給された検出信号Ｄｓに応じて、スタンドアロン測位モード１４２の状態をオフからオンに切り替える。ＧＰＳ処理部１４Ａは、このスタンドアロン測位モード１４２に従って、ＧＰＳモジュール１７から転送されたＧＰＳ信号を捕捉、追跡し、その捕捉結果に基づいて測位演算を実行することができる。ＣＣＰＵ部１３は、電波受信レベルに基づいて移動通信端末１が無線通信ネットワークの圏内あるいは圏外のいずれにいるかを検出し、その検出結果をＧＰＳ処理部１４Ａに与える。ＧＰＳ処理部１４Ａは、外付けＧＰＳアンテナ２がコネクタ１５に接続され、かつ、移動通信端末１が無線通信ネットワークの圏内にいるときは、Ａ−ＧＰＳ測位モード１４１をスタンドアロン測位モード１４２よりも優先させる。一方、ＧＰＳ処理部１４Ａは、外付けＧＰＳアンテナ２がコネクタ１５に接続され、かつ、移動通信端末１が無線通信ネットワークの圏外にいるときは、スタンドアロン測位モード１４２のみに従って動作する。
【００２３】
図３は、外付けＧＰＳアンテナ２、コネクタ１５および接続検出部１８の回路構成の一例を概略的に示す図である。図３の外付けＧＰＳアンテナ２は、アンテナ線である芯線２Ｗと、この芯線２Ｗを被覆するグランド導体（ＧＮＤ導体）２Ｇと、このグランド導体２Ｇを被覆し保護する絶縁部材とからなる同軸ケーブル構造を有している。外付けＧＰＳアンテナ２の基端部は、芯線２Ｗと接続された第１端子と、グランド導体２Ｇに接続された第２及び第３端子とからなるコネクタ２Ｃである。
【００２４】
一方、移動通信端末１のコネクタ１５は、コネクタ２Ｃの第１〜第３端子にそれぞれ対応する３つの端子を有しており、これら端子を通じて、コネクタ２Ｃの芯線２Ｗを接続導線１５Ｗに電気的に接続し、コネクタ２Ｃのグランド導体２Ｇを接地導線１５Ｇと接続導線１５Ｖとに電気的に接続する構造を有する。接地導線１５Ｇには、基準電位（接地電位ＧＮＤ）が印加されている。
【００２５】
また、接続検出部１８は、電圧監視部３０に加えて、オペアンプ（演算増幅器）３１、スイッチ制御素子３２、定電圧電源３３および抵抗素子３４を有する。このオペアンプ３１の非反転入力端子（＋）には、抵抗素子３４を介して電源電圧が印加され、オペアンプ３１の反転入力端子（−）には、定電圧電源３３により供給される閾値電圧が印加されている。スイッチ制御素子３２は、たとえば、切替制御信号Ｓｃとして光信号を生成する発光ダイオードで構成できる。一方、スイッチ１９は、光信号Ｓｃに応じて動作する光発電素子（ＰＶＤ：Photo-Voltaic Diode）と、接点となるスイッチング・トランジスタ（たとえば、ＭＯＳＦＥＴ）とで構成できる。スイッチ制御素子３２とスイッチ１９とで単一のフォトＭＯＳリレーが構成されてもよい。
【００２６】
外付けＧＰＳアンテナ２のコネクタ２Ｃが移動通信端末１のコネクタ１５に接続されていないとき、オペアンプ３１の非反転入力端子には電源電圧Ｖｃｃが印加される。また、オペアンプ３１の出力端子の電圧レベルは高レベル（High）となるので、スイッチ制御素子３２は、切替制御信号Ｓｃをスイッチ１９に与えてスイッチ１９の状態をオンに維持する。よって、内蔵ＧＰＳアンテナ１１Ｇは第２ＲＦ回路１６に接続される。
【００２７】
一方、外付けＧＰＳアンテナ２のコネクタ２Ｃが移動通信端末１のコネクタ１５に接続されると、グランド導体２Ｇが接続導線１５Ｖに接続されるので、オペアンプ３１の非反転入力端子は、コネクタ１５，２Ｃを介して接地導線１５Ｇと導通する。この結果、抵抗素子３４に電流が流れてオペアンプ３１の非反転入力端子の電圧レベルが低下することとなる。このときのオペアンプ３１の出力電圧に応じて、スイッチ制御素子３２はスイッチ１９の状態をオンからオフにする。
【００２８】
電圧監視部３０は、オペアンプ３１の非反転入力端子の電圧レベルを監視しており、接続導線１５Ｖの電圧レベルが変化して閾値レベルに達すると、この状態に対応した値を持つ検出信号Ｄｓを生成する。ＡＣＰＵ部１４は、この検出信号Ｄｓに応じて、メモリ回路２１（図１）の所定記憶領域に記憶されている制御情報の値を、スタンドアロン測位モード１４２のオフ状態に対応した値（たとえば「０」）からスタンドアロン測位モード１４２のオン状態に対応した値（たとえば「１」）に書き換える。ＧＰＳ処理部１４Ａは、この制御情報の値に応じて、スタンドアロン測位モード１４２の状態をオフからオンに切り替える。
【００２９】
その後、外付けＧＰＳアンテナ２のコネクタ２Ｃが移動通信端末１のコネクタ１５から外されたとき、オペアンプ３１の非反転入力端子には電源電圧Ｖｃｃが印加される。これに応じて、スイッチ制御素子３２は、切替制御信号Ｓｃを供給してスイッチ１９の状態をオフからオンに切り替える。また、ＡＣＰＵ部１４は、メモリ回路２１（図１）に記憶されている制御情報の値を、スタンドアロン測位モード１４２のオン状態に対応した値から、スタンドアロン測位モード１４２のオフ状態に対応した値に書き換える。ＧＰＳ処理部１４Ａは、この制御情報の値に応じて、スタンドアロン測位モード１４２の状態をオンからオフに切り替える。
【００３０】
上記実施形態の移動通信端末１が奏する効果は以下の通りである。上記移動通信端末１においては、接続検出部１８により外付けＧＰＳアンテナ２がコネクタ１５に接続された状態が検出されると、この検出結果に応じて、ＧＰＳ処理部１４Ａは、スタンドアロン測位モード１４２の状態をオフからオンに切り替える。したがって、ユーザは、外付けＧＰＳアンテナ２をコネクタ１５に接続するだけで、移動通信端末１が無線通信ネットワークの圏内から圏外に移動したときでも移動通信端末１にＧＰＳ測位を実行させることができる。
【００３１】
また、外付けＧＰＳアンテナ２は、移動通信端末１の筐体の外に位置するので、移動通信端末１の内部のノイズ発生源（たとえば、ＣＣＰＵ部１３、ＡＣＰＵ部１４、図示しない表示装置）が発するノイズの影響を受けにくい。それ故、高いＧＰＳ性能を発揮することができる。
【００３２】
他方、外付けＧＰＳアンテナ２がコネクタ１５から外されたとき、接続検出部１８は、切替制御信号Ｓｃをスイッチ１９に与えてスイッチ１９の状態をオフからオンに切り替える。同時に、ＧＰＳ処理部１４Ａは、メモリ回路２１内の制御情報の値の変化に応じて、スタンドアロン測位モード１４２の状態をオンからオフに切り替える。このときに、移動通信端末１が無線通信ネットワークの圏外から圏内に移動した場合、ＧＰＳ処理部１４Ａは、自動的に、Ａ−ＧＰＳ測位モード１４１をスタンドアロン測位モード１４２よりも優先的に選択して測位結果を得るので、ユーザは、外付けＧＰＳアンテナ２をコネクタ１５から外すことなく、動作モードを元のＡ−ＧＰＳ測位モード１４１に戻すことができる。
【００３３】
上記移動通信端末１は、たとえば、ユーザが車で移動する際に、カーナビゲーション用の簡易型ＧＰＳ受信機として使用できる。あるいは、ユーザが登山中に無線通信ネットワーク（移動体通信網）の圏外にいるときに、移動通信端末１をスタンドアロン測位モードで使用することも可能である。
【００３４】
以上、図面を参照して本発明の実施形態について述べたが、これらは本発明の例示であり、上記以外の様々な構成を採用することもできる。たとえば、上記実施形態では、ＧＰＳ処理部１４Ａは、アプリケーション・プログラムを実行することにより実現されたが、これに限定されるものではない。ＧＰＳ処理部１４Ａが、ＡＣＰＵ部１４とは別構成のハードウェアで実現されてもよい。また、上記実施形態では、ＣＣＰＵ部１３とＡＣＰＵ部１４とが別構成であったが、これに限定されず、ＣＣＰＵ部１３とＡＣＰＵ部１４とが単一のＣＰＵを用いて実現されてもよい。
【００３５】
さらに外付けＧＰＳアンテナ２の構造は、上述した同軸ケーブル構造に限らない。外付けＧＰＳアンテナ２は、たとえば、カーナビゲーション用ＧＰＳアンテナとして使用されるパッチアンテナでもよい。
【００３６】
なお、上記移動通信端末１は、入力装置、通話用の音声信号処理部、表示装置（たとえば、液晶ディスプレイや有機ＥＬディスプレイ）、不揮発性メモリおよび電源装置などの、携帯電話機としての構成要素を有することができるが、これらの構成要素は、説明の便宜上、図示されていない。
【図面の簡単な説明】
【００３７】
【図１】本発明に係る一実施例の移動通信端末（ＧＰＳ受信装置）の概略構成を示す機能ブロック図である。
【図２】ＧＰＳ処理部（ＧＰＳエンジン）の動作モードを模式的に示す図である。
【図３】移動通信端末の回路構成の一例を概略的に示す図である。
【符号の説明】
【００３８】
１  移動通信端末（ＧＰＳ受信装置）
２  外付けＧＰＳアンテナ
２Ｃ  コネクタ
１１Ａ  通信アンテナ
１１Ｇ  内蔵ＧＰＳアンテナ
１２  第１ＲＦ回路
１３  ＣＣＰＵ部（通信ＣＰＵ部）
１４  ＡＣＰＵ部（アプリケーションＣＰＵ部）
１４Ａ  ＧＰＳ処理部
１４１  Ａ−ＧＰＳ測位モード
１４２  スタンドアロン測位モード
１５  コネクタ
１６  第２ＲＦ回路
１７  ＧＰＳモジュール
１８  接続検出部
１９  スイッチ
２０，２１  メモリ回路
３０  電圧監視部
３１  オペアンプ（演算増幅器）
３２  スイッチ制御素子
３３  定電圧電源
３４  抵抗素子
【図１】
2009198275.tif 000003
【図２】
2009198275.tif 000004
【図３】
2009198275.tif 000005